(57)【特許請求の範囲】
【請求項１】
取り付けられた物体の重量を計測する重量計測装置であって、
支持部材に固定部で固定される幹体と、
前記幹体の先端部に取り付けられた物体の重量を計測するために、前記幹体の先端部にかかる荷重による前記幹体の歪み量を検出する歪み量検出部と、
前記歪み量検出部に接続されるケーブルとを備え、
前記ケーブルは、前記幹体の先端部にかかる荷重方向と交差する平面内に配置される、前記固定部が有する第一保持部と前記重量計測装置が有する第二保持部とのみに保持される
重量計測装置。
【請求項２】
前記ケーブルは、水平方向に延びるように、前記第一保持部と前記第二保持部とに保持される
請求項１に記載の重量計測装置。
【請求項３】
前記ケーブルは、前記幹体の基端部の前記第一保持部と、前記幹体の先端部の前記第二保持部とに保持されている
請求項１または２に記載の重量計測装置。
【請求項４】
前記ケーブルは、前記重量計測装置が重量を計測するために使用される重量計測用のケーブル、前記重量計測装置に電源を供給するための電源供給用のケーブル、前記重量計測装置が重量を計測する容器内に収容された流体の温度を調整するための温度調整用のヒータ線、当該流体の温度計測用のケーブル、前記温度計測用のケーブルのバックアップ用ケーブル、及びアース線のうちの１つまたは複数が束ねられたケーブルである
請求項１〜３のいずれか１項に記載の重量計測装置。
【請求項５】
取り付けられた物体の重量を計測する重量計測装置であって、
支持部材に固定部で固定される幹体と、
前記幹体の先端部に取り付けられた物体の重量を計測するために、前記幹体の先端部にかかる荷重による前記幹体の歪み量を検出する歪み量検出部と、
前記幹体に接続されるケーブルとを備え、
前記ケーブルは、前記幹体の先端部にかかる荷重方向と交差する平面内に配置される、前記固定部が有する第一保持部と前記重量計測装置が有する第二保持部とに保持され、
前記幹体の先端部には、流体が収容された容器が取り付けられており、
前記歪み量検出部は、前記容器の重量を計測するために、前記幹体の歪み量を検出し、
前記重量計測装置は、
さらに、
前記容器に接続され、前記容器に収容されている流体を送液するためのチューブを備え、
前記チューブは、前記幹体の先端部にかかる荷重方向と交差する平面内に配置される、前記固定部が有する第一チューブ保持部と前記重量計測装置が有する第二チューブ保持部とに保持される
重量計測装置。
【請求項６】
前記チューブは、水平方向に延びるように、前記第一チューブ保持部と前記第二チューブ保持部とに保持される
請求項５に記載の重量計測装置。
【請求項７】
前記チューブは、前記幹体の基端部の前記第一チューブ保持部と、前記幹体の先端部の前記第二チューブ保持部とに保持されている
請求項５または６に記載の重量計測装置。
【請求項８】
前記幹体の先端部には、血液浄化に使用される流体が収容された容器が取り付けられており、
前記歪み量検出部は、前記容器の重量を計測するために、前記幹体の歪み量を検出する
請求項１〜７のいずれか１項に記載の重量計測装置。
【発明の詳細な説明】
【技術分野】
【０００１】
本発明は、取り付けられた物体の重量を計測する重量計測装置に関する。
【背景技術】
【０００２】
従来から、例えば腎機能不全の患者に対して、その患者の血液を浄化するために、持続緩徐式血液ろ過法（ＣＨＦ：Continuous Hemofiltration）や、持続的血液透析ろ過法（ＣＨＤＦ：Continuous Hemodiafiltration）を用いた治療が行なわれている。
【０００３】
ＣＨＦは、ろ過を行なうための半透膜（以下、「ろ過膜」という。）が設けられた血液浄化器に患者から取り出した血液を注入してろ過膜を用いてろ過し、浄化された血液を患者に戻し、ろ過によって得られた血液の中の老廃物（例えば、尿素や塩化ナトリウム等の電解質物質）と溶媒（水分）とを廃棄する。それとともに、患者の血液の中の溶媒の減少を補うために、所定の補充液（以下、「補液」という。）を患者の血液に補充することを、持続的に緩徐に行なう方法である。なお、ＣＨＦでは、廃棄する血液の中の老廃物と溶媒とをろ過液（以下、「ろ液」という。）という。
【０００４】
他方、ＣＨＤＦは、ＣＨＦにおける小分子除去能力を改善するための方法であって、ＣＨＦに加えて透析処理を行なう方法である。すなわち、ＣＨＤＦは、血液浄化器に透析液をも供給し、ろ過によって浄化された血液になお含まれている老廃物を透析膜を介して透析液の中に移動させることにより、血液の中から老廃物を除去する。そして、ろ過及び透析によって浄化された血液を患者に戻すとともに補液を患者の血液に補充することを、持続的に緩徐に行なう方法である。なお、ＣＨＤＦでは、ろ過によって得られた血液の中の老廃物及び溶媒と、使用済みの透析液とをろ液という。
【０００５】
ところで、患者の血液の量が変動すると、患者の身体に悪影響を及ぼす。それを防止するために、患者から取り出される血液の流量と、患者に戻される血液及び患者に注入される補液の流量とをバランスさせなければならない。つまり、透析液と補液との減少量の合計と、ろ液の増加量とが同じになるように、２４時間連続で高度な水分管理を行う必要がある。
【０００６】
しかし、当該透析液、補液及びろ液を送液するためには、複数のポンプが必要である。そして、１つのポンプでの送液の誤差が１０％であるとすると、例えば２つのポンプでの送液の誤差は、最大２０％となる。この誤差は、上述の液バランスの必要な治療においては、許容できないものである。
【０００７】
このため、上述の血液浄化処置を行う場合に、透析液と補液との減少量の合計と、ろ液の増加量とを精度良くバランスさせることができる重量計測装置が提案されている（例えば、特許文献１参照）。この重量計測装置では、透析液などの流体が収容された容器を棒状の幹体の先端部に取り付け、当該幹体の歪み量を検出することで、取り付けられた容器の重量を計測することができる。
【先行技術文献】
【特許文献】
【０００８】
【特許文献１】特開２００７−２８５８３０号公報
【発明の概要】
【発明が解決しようとする課題】
【０００９】
しかしながら、従来の重量計測装置では、当該幹体に接続されているケーブルなどの影響により、重量計測に誤差が生じる場合がある。
【００１０】
つまり、当該幹体には、歪み量検出用のケーブルなどが接続されており、当該幹体が歪む際に、当該幹体の歪みと連動して当該ケーブルも僅かではあるが動くため、当該ケーブルが当該幹体の歪み量に影響を与え、重量の計測に誤差を生じる場合がある。
【００１１】
しかし、重量計測装置による計測結果は、治療に重大な影響を与えるため、計測の誤差が１％以下になるような精度の高い重量計測装置が必要である。このため、重量計測装置による重量計測のさらなる精度の向上が望まれる。
【００１２】
そこで、本発明は、このような問題に鑑みてなされたものであり、幹体の歪みを検出して重量を計測する重量計測装置において、当該幹体にケーブルなどが接続されている場合でも、重量を精度良く計測することができる重量計測装置を提供することを目的とする。
【課題を解決するための手段】
【００１３】
上記目的を達成するために、本発明に係る重量計測装置は、取り付けられた物体の重量を計測する重量計測装置であって、支持部材に固定部で固定される幹体と、前記幹体の先端部に取り付けられた物体の重量を計測するために、前記幹体の先端部にかかる荷重による前記幹体の歪み量を検出する歪み量検出部と、前記幹体に接続されるケーブルとを備え、前記ケーブルは、前記幹体の先端部にかかる荷重方向と交差する平面内に配置される、前記固定部が有する第一保持部と前記重量計測装置が有する第二保持部とに保持される。
【００１４】
これによれば、重量計測装置は、支持部材に固定部で固定される幹体の歪み量を検出することで重量を計測する装置であり、当該幹体に接続されるケーブルは、固定部が有する第一保持部と重量計測装置が有する第二保持部とに保持される。ここで、第一保持部及び第二保持部は、当該幹体の先端部にかかる荷重方向と交差する平面内に配置されている。このため、ケーブルは、幹体の先端部にかかる荷重方向と交差する方向に延びているため、幹体が当該荷重方向に歪む際に、ケーブルが幹体の歪み量に与える影響を低減することができる。これにより、幹体の歪みを検出して重量を計測する重量計測装置において、当該幹体にケーブルなどが接続されている場合でも、重量を精度良く計測することができる。
【００１５】
また、好ましくは、前記ケーブルは、水平方向に延びるように、前記第一保持部と前記第二保持部とに保持される。
【００１６】
これによれば、ケーブルは、水平方向に延びるように、第一保持部と第二保持部とに保持されている。つまり、ケーブルは、幹体の先端部にかかる荷重方向（鉛直方向）と直交する水平方向に延びているため、幹体が当該荷重方向に歪む際に、ケーブルが幹体の歪み量に与える影響をさらに低減することができる。これにより、幹体の歪みを検出して重量を計測する重量計測装置において、当該幹体にケーブルなどが接続されている場合でも、重量を精度良く計測することができる。
【００１７】
また、好ましくは、前記ケーブルは、前記幹体の基端部の前記第一保持部と、前記幹体の先端部の前記第二保持部とに保持されている。
【００１８】
これによれば、ケーブルが保持されているのは、幹体の基端部の第一保持部と、幹体の先端部の第二保持部である。このように、幹体に接続されたケーブルを幹体の基端部と先端部とで保持することで、容易にケーブルを保持することができる。これにより、幹体の歪みを検出して重量を計測する重量計測装置において、当該幹体にケーブルなどが接続されている場合でも、当該ケーブルを容易に保持して重量を精度良く計測することができる。
【００１９】
また、好ましくは、前記ケーブルは、前記重量計測装置が重量を計測するために使用される重量計測用のケーブル、前記重量計測装置に電源を供給するための電源供給用のケーブル、前記重量計測装置が重量を計測する容器内に収容された流体の温度を調整するための温度調整用のヒータ線、当該流体の温度計測用のケーブル、前記温度計測用のケーブルのバックアップ用ケーブル、及びアース線のうちの１つまたは複数が束ねられたケーブルである。
【００２０】
これによれば、重量計測装置は、重量計測用のケーブルだけでなく、電源供給用のケーブル、温度調整用のヒータ線、温度計測用のケーブル、バックアップ用ケーブル、アース線など、種々のケーブルを有しており、これらのケーブルのうち少なくとも１つまたは複数を束ねて第一保持部と第二保持部とで保持する。このように、重量計測装置は、種々のケーブルを保持しつつ、重量を精度良く計測することができる。
【００２１】
また、好ましくは、前記幹体の先端部には、流体が収容された容器が取り付けられており、前記歪み量検出部は、前記容器の重量を計測するために、前記幹体の歪み量を検出し、前記重量計測装置は、さらに、前記容器に接続され、前記容器に収容されている流体を送液するためのチューブを備え、前記チューブは、前記幹体の先端部にかかる荷重方向と交差する平面内に配置される、前記固定部が有する第一チューブ保持部と前記重量計測装置が有する第二チューブ保持部とに保持される。
【００２２】
これによれば、重量計測装置は、容器に収容されている流体を送液するためのチューブを備えており、当該チューブは、幹体の先端部にかかる荷重方向と交差する平面内に配置される、固定部が有する第一チューブ保持部と重量計測装置が有する第二チューブ保持部とに保持されている。このため、当該チューブは、幹体の先端部にかかる荷重方向と交差する方向に延びるため、幹体が当該荷重方向に歪む際に、当該チューブが幹体の歪み量に与える影響を低減することができる。これにより、幹体の歪みを検出して重量を計測する重量計測装置において、当該幹体に当該チューブが接続されている場合でも、重量を精度良く計測することができる。
【００２３】
また、好ましくは、前記チューブは、水平方向に延びるように、前記第一チューブ保持部と前記第二チューブ保持部とに保持される。
【００２４】
これによれば、チューブは、水平方向に延びるように、第一チューブ保持部と第二チューブ保持部とに保持されている。つまり、チューブは、幹体の先端部にかかる荷重方向（鉛直方向）と直交する水平方向に延びているため、幹体が当該荷重方向に歪む際に、チューブが幹体の歪み量に与える影響をさらに低減することができる。これにより、幹体の歪みを検出して重量を計測する重量計測装置において、当該幹体にチューブが接続されている場合でも、重量を精度良く計測することができる。
【００２５】
また、好ましくは、前記チューブは、前記幹体の基端部の前記第一チューブ保持部と、前記幹体の先端部の前記第二チューブ保持部とに保持されている。
【００２６】
これによれば、チューブが保持されているのは、幹体の基端部の第一チューブ保持部と、幹体の先端部の第二チューブ保持部である。このように、容器に接続されているチューブを、当該容器が取り付けられている幹体の基端部と先端部とで保持することで、容易にチューブを保持することができる。これにより、幹体の歪みを検出して重量を計測する重量計測装置において、当該幹体に当該チューブが接続されている場合でも、当該チューブを容易に保持して重量を精度良く計測することができる。
【００２７】
また、好ましくは、前記幹体の先端部には、血液浄化に使用される流体が収容された容器が取り付けられており、前記歪み量検出部は、前記容器の重量を計測するために、前記幹体の歪み量を検出する。
【００２８】
これによれば、幹体の先端部には、血液浄化に使用される流体が収容された容器が取り付けられており、重量計測装置は、当該容器の重量を計測する。このため、血液浄化処置を行う場合に、透析液などの流体の重量計測に当該重量計測装置を活用することができる。
【発明の効果】
【００２９】
本発明により、幹体の歪みを検出して重量を計測する重量計測装置において、当該幹体にケーブルなどが接続されている場合でも、重量を精度良く計測することができる。
【図面の簡単な説明】
【００３０】
【図１】本発明の実施の形態における血液浄化装置を示す外観図である。
【図２】本発明の実施の形態における血液浄化装置を示すブロック構成図である。
【図３】本発明の実施の形態における重量計測装置の構成を示す斜視図である。
【図４】本発明の実施の形態におけるロードセルの詳細な構成を示す図である。
【図５】本発明の実施の形態におけるロードセルの詳細な構成を示す図である。
【図６】本発明の実施の形態の変形例１における重量計測装置の構成を示す図である。
【図７】本発明の実施の形態の変形例２における重量計測装置の構成を示す図である。
【図８】本発明の実施の形態の変形例３における重量計測装置の構成を示す図である。
【発明を実施するための形態】
【００３１】
以下に、本発明を実施するための形態について、図面を参照して説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００３２】
（実施の形態）
図１は、本発明の実施の形態における血液浄化装置１を示す外観図である。
【００３３】
血液浄化装置１は、腎機能不全の患者などの血液を浄化するために、浄化処理により血液の中の老廃物を除去する装置である。
【００３４】
具体的には、血液浄化装置１は、透析液により血液中の老廃物を除去し、ろ液を排出する。また、血液中の溶媒の減少を補うために、補液が血液に補充される。そして、これらの透析液、補液及びろ液は、計量容器に収容され、使用される透析液及び補液の流量と、廃棄されるろ液の流量とをバランスさせるために、重量計測装置で当該計量容器の重量が計測される。
【００３５】
そして、重量計測装置での計測結果などは、表示部５０に表示される。この表示部５０は、ＣＲＴ（Cathode-Ray Tube）やＬＣＤ（Liquid Crystal Display）等である。
【００３６】
また、この重量計測装置は、同図のＡで示される位置に配置されている。以下に、この重量計測装置について、詳細に説明する。
【００３７】
図２は、本発明の実施の形態における血液浄化装置１を示すブロック構成図である。
【００３８】
同図に示すように、血液浄化装置１は、２つの重量計測装置１０、透析液ポンプ２１、補液ポンプ２２、ろ液ポンプ３１及び血液浄化器４０を備えている。なお、当該２つの重量計測装置１０は、図１に示されたＡの位置に配置されている。
【００３９】
血液浄化器４０は、血液を浄化する器具である。具体的には、血液浄化器４０は、円筒の内部に多数の中空糸の束を貫通させ、その中空糸の内部に血液を導通させ、円筒内を流れる透析液と、中空糸膜を介して間接的に接触させることにより、血液を浄化する。拡散、限外ろ過および浸透圧の原理によって、尿素や尿酸、クレアチン、余剰水分などの血液中の老廃物は透析液中に排出され、また、透析液中の電解質などは血液中に取り込まれる。
【００４０】
ここで、透析液は、血液浄化器４０内で血液と物質交換をする薬液であり、補液は、血液浄化器を通過することにより失われた血液中の水分や電解質を補給する薬液であり、ともに体液と浸透圧や電解質が等しくなるよう調整された等張液などの薬液が用いられる。このため、以下では、透析液と補液とを総称して、給液という。
【００４１】
重量計測装置１０は、血液浄化に使用される流体が収容された容器が取り付けられ、当該流体の重量を計測する装置である。ここで、浄化に使用される流体とは、給液（透析液及び補液）及びろ液である。つまり、一方の重量計測装置１０は、給液が収容された計量容器である給液容器２０を吊り下げて、給液の重量を計測する。また、他方の重量計測装置１０は、ろ液が収容された計量容器であるろ液容器３０を吊り下げて、ろ液の重量を計測する。この重量計測装置１０の詳細については、後述する。
【００４２】
透析液ポンプ２１は、給液容器２０に収容されている給液（透析液）を、血液浄化器４０に送液するポンプである。透析液ポンプ２１は、回転数制御により、送液する透析液の量を調整する。
【００４３】
補液ポンプ２２は、給液容器２０に収容されている給液（補液）を、血液浄化器４０出口の患者に戻される血液中に送液するポンプである。補液ポンプ２２は、回転数制御により、送液する補液の量を調整する。
【００４４】
ろ液ポンプ３１は、血液浄化器４０から排出される老廃物を含んだろ液を送液し、ろ液容器３０に収容するポンプである。ろ液ポンプ３１は、回転数制御により、送液するろ液の量を調整する。
【００４５】
つまり、透析液ポンプ２１及び補液ポンプ２２による給液の送液により、給液容器２０中の給液が減少する。また、ろ液ポンプ３１によるろ液の送液により、ろ液容器３０中のろ液が増加する。すなわち、給液容器２０中の給液の減少量は、透析液ポンプ２１又は補液ポンプ２２の流量を制御することで調整され、ろ液容器３０中のろ液の増加量は、ろ液ポンプ３１の流量を制御することで調整される。
【００４６】
次に、重量計測装置１０の構成について、詳細に説明する。
【００４７】
図３は、本発明の実施の形態における重量計測装置１０の構成を示す斜視図である。
【００４８】
同図に示すように、重量計測装置１０は、ロードセル１００、支持部材３００及び容器保持部材４００を備えている。また、ロードセル１００は、ケーブル２００を備えている。
【００４９】
支持部材３００は、ロードセル１００の基端部に接続されており、ロードセル１００を支持する金属製の板状部材である。なお、支持部材３００の材質及び形状は、金属製の板状部材には限定されず、ロードセル１００を支持できる材質及び形状であれば、どのような部材であってもよい。
【００５０】
ロードセル１００は、先端部に接続された物体の重量を計測することができる計測器である。具体的には、ロードセル１００は、幹体の歪み量から重量を計測するロバーバル型ロードセルである。
【００５１】
ここで、ロードセル１００は、支持部材３００の下方に配置され、基端部が支持部材３００に接続されている。また、ロードセル１００は、先端部の下部が容器保持部材４００に接続され、容器保持部材４００を吊り下げている。なお、ロードセル１００の詳細な構成についての説明は、後述する。
【００５２】
容器保持部材４００は、給液容器２０またはろ液容器３０を保持するための樹脂製の板状部材である。つまり、重量計測装置１０が給液容器２０を吊り下げて給液の重量を計測する場合には、給液容器２０が容器保持部材４００に取り付けられ、固定される。また、重量計測装置１０がろ液容器３０を吊り下げてろ液の重量を計測する場合には、ろ液容器３０が容器保持部材４００に取り付けられ、固定される。なお、容器保持部材４００の材質及び形状は、樹脂製の板状部材には限定されない。
【００５３】
次に、ロードセル１００の詳細な構成について、以下に説明する。
【００５４】
図４及び図５は、本発明の実施の形態におけるロードセル１００の詳細な構成を示す図である。具体的には、図４は、図３に示した重量計測装置１０を側方（同図に示すＹ軸マイナス方向）から見た場合の平面図である。また、図５は、図４に示したロードセル１００を上方（同図に示すＺ軸プラス方向）から見た場合の平面図である。
【００５５】
これらの図に示すように、ロードセル１００は、幹体１０１、歪み量検出部１０２及びケーブル２００を備えている。
【００５６】
幹体１０１は、棒状の金属製の部材であり、例えば、アルミニウム製の角棒部材である。幹体１０１は、支持部材３００に固定部３０１で固定されている。ここで、固定部３０１とは、支持部材３００と幹体１０１とを固定している部位であり、具体的には、支持部材３００の幹体１０１との接続箇所と、幹体１０１の支持部材３００との接続箇所（幹体１０１の基端部）とを含む部位である。
【００５７】
また、幹体１０１には、幹体１０１の両側面部を貫通するように、長手方向に直交する方向かつ水平に、貫通孔が設けられている。そして、この貫通孔の断面の形状は、骨状、つまり、両端部の大きさがそれらに挟まれた中央部の大きさよりも大きい形状である。具体的には、幹体１０１は、ロバーバル型ロードセルを構成する幹体である。
【００５８】
歪み量検出部１０２は、幹体１０１の上面及び下面に配置され、幹体１０１の先端部に取り付けられた物体の重量を計測するために、幹体１０１の先端部にかかる荷重による幹体１０１の歪み量を検出する。
【００５９】
つまり、幹体１０１の先端部に給液容器２０またはろ液容器３０が吊り下げられた場合、幹体１０１には貫通孔が設けられているため、幹体１０１に歪みが生じる。そして、歪み量検出部１０２は、給液容器２０またはろ液容器３０の重量を計測するために、この幹体１０１の歪み量を検出する。
【００６０】
このように、幹体１０１の先端部には、血液浄化に使用される流体が収容された容器が取り付けられており、歪み量検出部１０２は、当該容器の重量を計測するために、幹体１０１の歪み量を検出する。
【００６１】
なお、幹体１０１の材質及び形状は、上記に限定されず、歪み量検出部１０２が歪み量を検出して給液容器２０またはろ液容器３０の合計重量を計測することができるのであれば、どのような材質及び形状であってもよい。
【００６２】
ケーブル２００は、幹体１０１に接続されているケーブルである。具体的には、ケーブル２００は、幹体１０１を介して歪み量検出部１０２に接続されており、歪み量検出部１０２で検出された幹体１０１の歪み量を、重量計測装置１０の制御装置に伝送する。
【００６３】
また、ケーブル２００は、幹体１０１の先端部にかかる荷重方向（同図に示すＺ軸方向）と交差する平面Ｐ１内に配置される、固定部３０１が有する第一保持部１０３と重量計測装置１０が有する第二保持部１０４とに保持されている。
【００６４】
なお、第一保持部１０３及び第二保持部１０４は、平面Ｐ１内に配置される２点であればどの位置に配置されていてもよいが、本実施の形態では、第一保持部１０３は、幹体１０１の基端部に配置され、第二保持部１０４は、幹体１０１の先端部に配置されている。
【００６５】
また、本実施の形態では、第一保持部１０３は、幹体１０１の側面に設けられた取り付け板上に配置されており、ケーブル２００は、ガイド部材（クランプ）によって当該取り付け板に固定されている。また、第二保持部１０４は、ケーブル２００の幹体１０１側面との接続部である。なお、第二保持部１０４は、当該接続部でなくともよく、第一保持部１０３と同様に、幹体１０１の側面に設けられた取り付け板上に配置され、ケーブル２００は、ガイド部材（クランプ）によって当該取り付け板に固定されていることにしてもよい。
【００６６】
このように、ケーブル２００を幹体１０１の側面に取り付けることができるため、ケーブル２００の幹体１０１への取り付けが容易である。また、ケーブル２００の幹体１０１との接続部と同じ平面内でケーブル２００を取り付けることができるため、ケーブル２００の捩れを少なくして幹体１０１に取り付けることができる。
【００６７】
なお、ケーブル２００の幹体１０１への取り付け方法は、上記の方法に限定されない。例えば、第一保持部１０３または第二保持部１０４を複数有し、ケーブル２００を当該第一保持部１０３及び第二保持部１０４に対応した複数のガイド部材に挿通することで、ケーブル２００を幹体１０１に取り付けることにしてもよい。また、ガイド部材ではなく接着剤を用いて、ケーブル２００を幹体１０１に取り付けることにしてもよい。また、幹体１０１の側面でなく上面や下面にケーブル２００を取り付けることにしてもよいし、幹体１０１に取り付け板が備えられておらず、幹体１０１に直接ケーブル２００を取り付けることにしてもよい。
【００６８】
また、平面Ｐ１は、幹体１０１の先端部にかかる荷重方向と交差する平面であればどのような平面であってもよいが、好ましくは、水平面である。つまり、ケーブル２００は、水平方向に延びるように、第一保持部１０３と第二保持部１０４とに保持されているのが好ましい。
【００６９】
このように、ケーブル２００が当該荷重方向と垂直の水平方向に配置されることで、幹体１０１が当該荷重方向に歪む際に、ケーブル２００が幹体１０１の歪み量に与える影響を効果的に低減することができる。
【００７０】
以上のように、本実施の形態に係る重量計測装置１０は、支持部材３００に固定部３０１で固定される幹体１０１の歪み量を検出することで重量を計測する装置であり、幹体１０１に接続されるケーブル２００は、固定部３０１が有する第一保持部１０３と重量計測装置１０が有する第二保持部１０４とに保持される。ここで、第一保持部１０３及び第二保持部１０４は、幹体１０１の先端部にかかる荷重方向と交差する平面Ｐ１内に配置されている。このため、ケーブル２００は、幹体１０１の先端部にかかる荷重方向と交差する方向に延びているため、幹体１０１が当該荷重方向に歪む際に、ケーブル２００が幹体１０１の歪み量に与える影響を低減することができる。これにより、幹体の歪みを検出して重量を計測する重量計測装置１０において、当該幹体にケーブルなどが接続されている場合でも、重量を精度良く計測することができる。
【００７１】
また、ケーブル２００は、水平方向に延びるように、第一保持部１０３と第二保持部１０４とに保持されている。つまり、ケーブル２００は、幹体１０１の先端部にかかる荷重方向（鉛直方向）と直交する水平方向に延びているため、幹体１０１が当該荷重方向に歪む際に、ケーブル２００が幹体１０１の歪み量に与える影響をさらに低減することができる。これにより、幹体の歪みを検出して重量を計測する重量計測装置１０において、当該幹体にケーブルなどが接続されている場合でも、重量を精度良く計測することができる。
【００７２】
また、ケーブル２００が保持されているのは、幹体１０１の基端部の第一保持部１０３と、幹体１０１の先端部の第二保持部１０４である。このように、幹体１０１に接続されたケーブル２００を幹体１０１の基端部と先端部とで保持することで、容易にケーブル２００を保持することができる。
【００７３】
また、幹体１０１の先端部には、血液浄化に使用される流体が収容された容器が取り付けられており、重量計測装置１０は、当該容器の重量を計測する。このため、血液浄化処置を行う場合に、透析液などの流体の重量計測に当該重量計測装置１０を活用することができる。
【００７４】
（変形例１）
次に、本発明の実施の形態の変形例１における重量計測装置１１について説明する。上記実施の形態では、重量計測装置１０は、幹体１０１の側面にケーブル２００が接続されていることとした。しかし、本変形例１では、重量計測装置１１は、幹体の側面以外の面にケーブル２００が接続されている。
【００７５】
図６は、本発明の実施の形態の変形例１における重量計測装置１１の構成を示す図である。
【００７６】
同図に示すように、本変形例１における重量計測装置１１は、幹体１１１の上側の第三保持部１１５にケーブル２００が接続されている。なお、ケーブル２００の接続箇所は、幹体１１１の側面以外の面であればよく、幹体１１１の下側などに接続されていることにしてもよい。
【００７７】
そして、ケーブル２００は、幹体１１１の側面に配置された第一保持部１１３と第二保持部１１４とに保持されている。ここで、上記実施の形態と同様に、第一保持部１１３は幹体１１１の基端部に配置され、第二保持部１１４は幹体１１１の先端部に配置され、ともに幹体１１１の先端部にかかる荷重方向（同図に示すＺ軸方向）と交差する平面Ｐ１内に配置されている。また、平面Ｐ１は、好ましくは、水平面である。
【００７８】
なお、第一保持部１１３及び第二保持部１１４におけるケーブル２００の幹体１１１への取り付け方法は、上記実施の形態の第一保持部１０３におけるケーブル２００の幹体１０１への取り付け方法と同様であるため、詳細な説明は省略する。
【００７９】
このように、ケーブル２００が当該荷重方向と垂直の水平方向に配置されることで、幹体１１１が当該荷重方向に歪む際に、ケーブル２００が幹体１１１の歪み量に与える影響を効果的に低減することができる。つまり、本変形例１における重量計測装置１１は、このような構成によっても、上記実施の形態と同様の機能を有し、同様の効果を奏する。
【００８０】
（変形例２）
次に、本発明の実施の形態の変形例２における重量計測装置１２について説明する。上記実施の形態では、重量計測装置１０における第一保持部１０３は、幹体１０１の基端部に配置されていることとした。しかし、本変形例２では、第一保持部は、支持部材に配置されている。
【００８１】
図７は、本発明の実施の形態の変形例２における重量計測装置１２の構成を示す図である。
【００８２】
同図に示すように、本変形例２における重量計測装置１２は、支持部材３１０に固定部３１１でロードセル１２０が固定されている。
【００８３】
そして、ケーブル２００は、固定部３１１に配置される第一保持部１２３に保持されている。ここで、固定部３１１は、支持部材３１０とロードセル１２０とを固定している部位であり、具体的には、支持部材３１０内のロードセル１２０との接続箇所である。つまり、第一保持部１２３は、支持部材３１０の側面に配置されている。
【００８４】
このように、本変形例２における重量計測装置１２は、上記実施の形態と第一保持部の配置位置が異なるが、このような構成によっても、上記実施の形態と同様の機能を有し、同様の効果を奏する。
【００８５】
（変形例３）
次に、本発明の実施の形態の変形例３における重量計測装置１３について説明する。上記実施の形態では、重量計測装置１０は、ケーブル２００を保持することとした。しかし、本変形例３では、重量計測装置１３は、ケーブル２００に加え、チューブも保持する。
【００８６】
図８は、本発明の実施の形態の変形例３における重量計測装置１３の構成を示す図である。
【００８７】
同図に示すように、本変形例３における重量計測装置１３は、上記実施の形態における重量計測装置１０と同様、ロードセル１３０を備え、ケーブル２００は、第一保持部１３３及び第二保持部１３４に保持されている。
【００８８】
また、幹体１３１の先端部には、流体が収容された容器が取り付けられており、当該容器には、当該容器に収容されている流体を送液するためのチューブが接続されている。具体的には、幹体１３１の先端部には、給液容器２０またはろ液容器３０が取り付けられており、給液容器２０またはろ液容器３０には、チューブ２３が接続されている。
【００８９】
そして、チューブ２３は、幹体１３１の先端部にかかる荷重方向（同図に示すＺ軸方向）と交差する平面Ｐ２内に配置される、固定部３０１が有する第一チューブ保持部１３５と重量計測装置１３が有する第二チューブ保持部１３６とに保持されている。
【００９０】
なお、第一チューブ保持部１３５及び第二チューブ保持部１３６は、平面Ｐ２内に配置される２点であればどの位置に配置されていてもよいが、本変形例では、第一チューブ保持部１３５は、幹体１３１の基端部に配置され、第二チューブ保持部１３６は、幹体１３１の先端部に配置されている。
【００９１】
さらに具体的には、本変形例では、第一チューブ保持部１３５及び第二チューブ保持部１３６は、幹体１３１の側面に設けられた取り付け板上に配置されており、チューブ２３は、ガイド部材（クランプ）によって当該取り付け板に固定されている。
【００９２】
なお、チューブ２３の幹体１３１への取り付け方法は、上記実施の形態におけるケーブル２００の幹体１０１への取り付け方法と同様の方法を採用することができる。
【００９３】
また、平面Ｐ２は、幹体１３１の先端部にかかる荷重方向と交差する平面であればどのような平面であってもよいが、好ましくは、水平面である。つまり、チューブ２３は、水平方向に延びるように、第一チューブ保持部１３５と第二チューブ保持部１３６とに保持されているのが好ましい。
【００９４】
なお、重量計測装置１３は、ロードセル１３０にカバーを設け、当該カバーにチューブ２３を固定することにしてもよい。つまり、チューブ２３は、幹体１３１を覆うカバー側面に設けられた第一チューブ保持部１３５及び第二チューブ保持部１３６に保持される。
【００９５】
以上のように、本実施の形態の変形例３に係る重量計測装置１３は、容器に収容されている流体を送液するためのチューブ２３を備えており、チューブ２３は、幹体１３１の先端部にかかる荷重方向と交差する平面Ｐ２内に配置される第一チューブ保持部１３５と第二チューブ保持部１３６とに保持されている。このため、チューブ２３は、幹体１３１の先端部にかかる荷重方向と交差する方向に延びるため、幹体１３１が当該荷重方向に歪む際に、チューブ２３が幹体１３１の歪み量に与える影響を低減することができる。
【００９６】
また、チューブ２３は、水平方向に延びるように、第一チューブ保持部１３５と第二チューブ保持部１３６とに保持されている。つまり、チューブ２３は、幹体１３１の先端部にかかる荷重方向（鉛直方向）と直交する水平方向に延びているため、幹体１３１が当該荷重方向に歪む際に、チューブ２３が幹体１３１の歪み量に与える影響をさらに低減することができる。
【００９７】
また、チューブ２３が保持されているのは、幹体１３１の基端部の第一チューブ保持部１３５と、幹体１３１の先端部の第二チューブ保持部１３６である。このように、容器に接続されているチューブ２３を、当該容器が取り付けられている幹体１３１の基端部と先端部とで保持することで、容易にチューブ２３を保持することができる。
【００９８】
以上のことにより、幹体の歪みを検出して重量を計測する重量計測装置１３において、当該幹体に当該チューブが接続されている場合でも、重量を精度良く計測することができる。
【００９９】
以上、本発明に係る重量計測装置について、上記実施の形態及びその変形例を用いて説明したが、本発明は、これに限定されるものではない。
【０１００】
つまり、今回開示された実施の形態及びその変形例はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。また、上記実施の形態及び上記変形例を任意に組み合わせて構築される形態も、本発明の範囲内に含まれる。
【０１０１】
例えば、上記実施の形態及びその変形例では、重量計測装置は、重量計測用のケーブルやチューブが保持されていることとしたが、重量計測装置は、当該ケーブルやチューブと同様の方法で、当該ケーブルやチューブ以外のものを保持することにしてもよい。例えば、重量計測装置は、電源供給用のケーブル、容器内の流体の温度調整用のヒータ線、当該流体の温度計測用のケーブルやそのバックアップ用ケーブル、アース線などを、上記実施の形態と同様の方法で保持することにしてもよい。
【０１０２】
つまり、ケーブル２００は、重量計測装置が重量を計測するために使用される重量計測用のケーブル、重量計測装置に電源を供給するための電源供給用のケーブル、重量計測装置が重量を計測する容器内に収容された流体の温度を調整するための温度調整用のヒータ線、当該流体の温度計測用のケーブル、当該温度計測用のケーブルのバックアップ用ケーブル（温度計測用のケーブルに問題が生じた場合の代替手段）、及びアース線のうちの１つまたは複数が束ねられたケーブルであることにしてもよい。このようにすることで、当該重量計測装置は、種々のケーブルを保持しつつ、重量を精度良く計測することができる。
【産業上の利用可能性】
【０１０３】
本発明にかかる血液浄化装置が備える重量計測装置は、例えば腎機能不全の患者に対して、その患者の血液を浄化する際に、血液浄化に使用される流体の重量を精度良く計測することができる重量計測装置等として有用である。
【符号の説明】
【０１０４】
１  血液浄化装置
１０、１１、１２、１３  重量計測装置
２０  給液容器
２１  透析液ポンプ
２２  補液ポンプ
２３  チューブ
３０  ろ液容器
３１  ろ液ポンプ
４０  血液浄化器
５０  表示部
１００、１１０、１２０、１３０  ロードセル
１０１、１１１、１２１、１３１  幹体
１０２、１１２、１２２、１３２  歪み量検出部
１０３、１１３、１２３、１３３  第一保持部
１０４、１１４、１２４、１３４  第二保持部
１１５  第三保持部
１３５  第一チューブ保持部
１３６  第二チューブ保持部
２００  ケーブル
３００、３１０  支持部材
３０１、３１１  固定部
４００  容器保持部材
【図１】
0005908750.tif 000002
【図２】
0005908750.tif 000003
【図３】
0005908750.tif 000004
【図４】
0005908750.tif 000005
【図５】
0005908750.tif 000006
【図６】
0005908750.tif 000007
【図７】
0005908750.tif 000008
【図８】
0005908750.tif 000009